(57)【要約】【課題】計測データについての判別処理を実行するための制御用ＰＣを設けることなく計測データの判別処理を実行し得る通信モジュールを提供する。【解決手段】計測対象機器４についてのパラメータを計測して計測データＤ１を取得する計測モジュール１２に対してバスライン１１ａを介して接続可能に構成されると共に管理装置２と通信可能に構成され、バスライン１１ａを介して入力した計測データＤ１と判別データＤ６とを比較することによって計測データＤ１と判別データＤ６との関係を示す判別結果データＤ８を生成して管理装置２に送信する。【選択図】図５
2005316544.tif 000002
【特許請求の範囲】
【請求項１】
計測対象体についてのパラメータを計測して計測データを取得する計測モジュールに対してバスラインを介して接続可能に構成されると共に外部機器と通信可能に構成され、前記バスラインを介して入力した前記計測データと判別データとを比較することによって当該計測データと当該判別データとの関係を示す判別結果データを生成して前記外部機器に送信する通信モジュール。
【請求項２】
前記外部機器に対して前記判別結果データを電子メールで送信する請求項１記載の通信モジュール。
【請求項３】
計測対象体についてのパラメータを計測して計測データを取得する計測モジュールと、
バスラインを介して前記計測モジュールに接続された請求項１または２記載の通信モジュールとを備えている計測装置。
【請求項４】
計測対象体についてのパラメータを計測して計測データを取得する計測モジュールに対してバスラインを介して接続可能に構成されると共に、前記バスラインを介して入力した前記計測データと予め設定された判別データとを比較して当該計測データと当該判別データとが所定の関係を有するときに制御信号を出力端子に出力する出力モジュール。
【請求項５】
前記出力端子への前記制御信号の出力をマスク可能に構成されている請求項４記載の出力モジュール。
【請求項６】
計測対象体についてのパラメータを計測して計測データを取得する計測モジュールと、
バスラインを介して前記計測モジュールに接続された請求項４または５記載の出力モジュールとを備えている計測装置。
【請求項７】
計測対象体についてのパラメータを計測して計測データを取得する外部計測機器に対して接続可能に構成されると共にバスラインを介して通信モジュールに接続可能に構成され、かつ、入力した前記計測データを前記バスラインを介して前記通信モジュールに出力すると共に当該計測データと判別データとを比較して当該計測データと当該判別データとが所定の関係を有するときに制御信号を前記外部計測機器に出力するリンクモジュール。
【請求項８】
請求項７記載のリンクモジュールと、
バスラインを介して前記リンクモジュールに接続された通信モジュールとを備え、
前記通信モジュールは、前記バスラインを介して入力した前記計測データを外部機器に出力する計測装置。
【発明の詳細な説明】
【技術分野】
【０００１】
本発明は、計測した計測対象体についてのパラメータを示す計測データをバスラインを介して入力して外部機器に出力する通信モジュール、バスラインを介して入力した計測データと判別データとを比較して双方が所定の関係を有するときに制御信号を出力端子に出力する出力モジュール、外部計測機器によって計測された計測データと判別データとを比較して計測データと判別データとが所定の関係を有するときに制御信号を外部計測機器に出力するリンクモジュール、およびこれらのモジュールを備えた計測装置に関するものである。
【背景技術】
【０００２】
この種のモジュールを備えた計測装置として、特開２００２−２６７５０８号公報に開示された計測システムが従来から知られている。この計測システムは、計測現場に配置される計測装置（モジュールクレート）および表示部と、制御現場に配置される制御用ＰＣとを備えている。モジュールクレートは、複数の計測モジュールと、表示部に接続される画像表示モジュールと、制御用ＰＣとの間に設けられるインターフェースとを有している。この場合、画像表示モジュールは、計測モジュールまたは制御用ＰＣから送られてきた情報を表示部に表示可能なデータ形式に変更して表示部に出力することにより、表示部の表示画面上にその情報を表示させる。
【０００３】
この計測システムでは、計測現場の計測作業従事者が計測モジュールを用いて計測対象体（測定対象体）を計測した際に、計測モジュールの計測結果が、インターフェースを介して制御現場の制御用ＰＣに送られると共に画像表示モジュールに対しても送られる。
【０００４】
したがって、制御現場では、制御用ＰＣを用いて、各計測モジュールから送られてきた計測結果に基づいたデータ収集・管理処理（判別処理）が行われる。また、制御現場で行われたデータ収集・管理処理において計測結果に異常があったときには、制御用ＰＣは、画像表示モジュールに対して警告の通知を送出する。一方、計測現場では、画像表示モジュールが計測モジュールから送られてきた計測結果や制御用ＰＣから送られてきた警告の通知を表示部に出力することにより、計測モジュールの計測結果や計測結果の異常などの警告の通知が表示部の表示画面上に表示される。したがって、計測作業従事者は、計測現場に居ながらにして、計測結果や計測結果の異常に関する情報を入手することが可能となる。
【特許文献１】特開２００２−２６７５０８号公報（第４−５頁、第２図）
【発明の開示】
【発明が解決しようとする課題】
【０００５】
ところが、従来の計測システムには、以下のような解決すべき課題がある。すなわち、この計測システムでは、計測装置とは別に設けた制御用ＰＣが、計測モジュールによって計測された計測対象体についての計測データを収集すると共にこれら計測データについての判別処理を実行している。したがって、この判別処理を実行するためには、制御用ＰＣが常に必要となる。このため、計測装置のみの簡易な構成で判別処理を実行することができないという解決すべき課題がある。また、制御用ＰＣとの間でデータをやり取りするのに常に時間が必要とされるため、計測対象体についてのパラメータの計測完了からこの計測で得られた計測データについての判別処理を完了するまでに要する時間が長くなるという解決すべき課題が存在する。
【０００６】
本発明は、かかる課題を解決するためになされたものであり、計測データについての判別処理を実行するための制御用ＰＣを設けることなく計測データの判別処理を実行し得る通信モジュール、出力モジュールおよびリンクモジュールを提供することを主目的とする。また、制御用ＰＣを設けることなく計測データの判別処理を実行し得る計測装置を提供することを他の主目的とする。
【課題を解決するための手段】
【０００７】
上記目的を達成すべく請求項１記載の通信モジュールは、計測対象体についてのパラメータを計測して計測データを取得する計測モジュールに対してバスラインを介して接続可能に構成されると共に外部機器と通信可能に構成され、前記バスラインを介して入力した前記計測データと判別データとを比較することによって当該計測データと当該判別データとの関係を示す判別結果データを生成して前記外部機器に送信する。
【０００８】
請求項２記載の通信モジュールは、請求項１記載の通信モジュールにおいて、前記外部機器に対して前記判別結果データを電子メールで送信する。
【０００９】
請求項３記載の計測装置は、計測対象体についてのパラメータを計測して計測データを取得する計測モジュールと、バスラインを介して前記計測モジュールに接続された請求項１または２記載の通信モジュールとを備えている。
【００１０】
請求項４記載の出力モジュールは、計測対象体についてのパラメータを計測して計測データを取得する計測モジュールに対してバスラインを介して接続可能に構成されると共に、前記バスラインを介して入力した前記計測データと予め設定された判別データとを比較して当該計測データと当該判別データとが所定の関係を有するときに制御信号を出力端子に出力する。
【００１１】
請求項５記載の出力モジュールは、請求項４記載の出力モジュールにおいて、前記出力端子への前記制御信号の出力をマスク可能に構成されている。
【００１２】
請求項６記載の計測装置は、計測対象体についてのパラメータを計測して計測データを取得する計測モジュールと、バスラインを介して前記計測モジュールに接続された請求項４または５記載の出力モジュールとを備えている。
【００１３】
請求項７記載のリンクモジュールは、計測対象体についてのパラメータを計測して計測データを取得する外部計測機器に対して接続可能に構成されると共にバスラインを介して通信モジュールに接続可能に構成され、かつ、入力した前記計測データを前記バスラインを介して前記通信モジュールに出力すると共に当該計測データと判別データとを比較して当該計測データと当該判別データとが所定の関係を有するときに制御信号を前記外部計測機器に出力する。
【００１４】
請求項８記載の計測装置は、請求項７記載のリンクモジュールと、バスラインを介して前記リンクモジュールに接続された通信モジュールとを備え、前記通信モジュールは、前記バスラインを介して入力した前記計測データを外部機器に出力する。
【発明の効果】
【００１５】
本発明に係る通信モジュールおよび計測装置によれば、通信モジュールがバスラインを介して計測モジュールから入力した計測データと判別データとを比較して判別結果データを生成して外部機器に送信することにより、制御用ＰＣを設けることなく計測データに対する判別処理を実行して判別結果データを生成して送信することができる。このため、制御用ＰＣにおいて判別処理を実行する構成と比較して、制御用ＰＣとの間でのデータのやり取り（送受信）に要する時間を省くことができる結果、より短時間で外部機器に判別結果データを送信することができる。
【００１６】
また、通信モジュールが外部機器に対して判別結果データを電子メールで送信することにより、電子メールを受信し得る装置である限り任意の形態の装置であっても外部機器として使用することができるため、計測装置の汎用性を高めることができる。
【００１７】
また、本発明に係る出力モジュールおよび計測装置によれば、出力モジュールが計測モジュールから入力した計測データと判別データとを比較して計測データと判別データとが所定の関係を有するときに制御信号を出力端子に出力することにより、制御用ＰＣを設けることなく計測データに対する判別処理を実行して制御信号を出力することができる。このため、制御用ＰＣにおいて判別処理を実行する構成と比較して、制御用ＰＣとの間でのデータのやり取りに要する時間を省くことができる結果、より短時間で制御信号を出力することができる。したがって、例えば、制御信号を利用してブザーを鳴動させることで、計測データに対する判別結果（計測結果）を計測現場で迅速かつ正確に認識することができる。
【００１８】
また、出力端子への制御信号の出力をマスク可能に構成したことにより、出力端子への制御信号の出力の可否を任意に設定することができる。したがって、例えば出力端子を複数備え、計測データと判別データとが有する関係に対応させた制御信号を、対応する出力端子に出力するように構成されている場合において、特定の制御信号のみを出力させたいときに、この特定の制御信号以外の制御信号をマスクすることにより、特定の制御信号のみを対応する出力端子から確実に出力させることができる。
【００１９】
また、本発明に係るリンクモジュールおよび計測装置によれば、リンクモジュールが外部計測機器から入力した計測データと判別データとを比較して外部計測機器に制御信号を出力することにより、制御用ＰＣを設けることなく計測データに対する判別処理を実行して制御信号を出力することができる。このため、外部の制御用ＰＣにおいて判別処理を実行する構成と比較して、制御信号をより短時間で出力することができる。したがって、例えば、外部計測機器の測定レンジの切換えに制御信号を利用することにより、計測データが外部計測機器の測定レンジの上限を超えているときに、適切な測定レンジに迅速に切換えることができるため、計測データの欠落を最小限に抑制しつつ、計測データを正確に測定し続けることができる。
【発明を実施するための最良の形態】
【００２０】
以下、添付図面を参照して、本発明に係る通信モジュール、出力モジュール、リンクモジュールおよび計測装置の最良の形態について説明する。
【００２１】
まず、本発明を適用した計測システムＭＳの構成について、図面を参照して説明する。
【００２２】
計測システムＭＳは、計測装置１、管理装置２および外部計測機器６を備えて構成されている。計測装置１は、図１に示すように、計測対象機器（計測対象体）４，５が設置されている計測現場に設置されると共に、計測現場とは異なる管理現場に設置されている管理装置（外部機器）２と公衆回線網などの伝送路３を介して相互通信可能に接続されている。この場合、伝送路３は、有線伝送路および無線伝送路のいずれかで構成されている。
【００２３】
計測装置１は、図１に示すように、モジュールベース１１、計測モジュール１２、リンクモジュール１３、出力モジュール１４、通信モジュール１５および電源モジュール１６を備えて構成されている。モジュールベース１１は、上記各モジュール１２〜１６を装着するための複数のスロット（図示せず）、および各スロットに装着されたモジュール１２〜１６同士を接続するバスライン１１ａを備えている。本例では、バスライン１１ａは、一例としてＣＡＮ（Ｃｏｎｔｒｏｌｌｅｒ  Ａｒｅａ  Ｎｅｔｗｏｒｋ）バスで構成されている。
【００２４】
計測モジュール１２は、図２に示すように、計測部１２ａ、制御部１２ｂ、記憶部１２ｃ、およびバスインターフェース部（以下、「バスＩ／Ｆ部」ともいう）１２ｄを備えて構成されている。この場合、計測部１２ａは、計測対象機器４についてのパラメータを定期的に計測して計測データＤ１を取得すると共に、この計測データＤ１を制御部１２ｂに出力する。ここで、計測対象機器４についてのパラメータには、計測対象機器４の内部温度や内部湿度、計測対象機器４の任意部位における電流や電圧、計測対象機器４の消費電力、および計測対象機器４の内部信号についての特性（周波数、パルス幅および波高値等）などが含まれる。後述する計測対象機器５についてのパラメータも同様である。制御部１２ｂは、ＣＰＵおよびタイマ（リアルタイムクロック）等で構成されて、記憶部１２ｃに記憶されている動作プログラムに従って作動する。具体的には、制御部１２ｂは、バスＩ／Ｆ部１２ｄを介して設定コマンドＤｃ１を受信したときには、設定コマンドＤｃ１を計測部１２ａに出力することにより、計測部１２ａに対して計測周期などの初期設定を実行する。また、制御部１２ｂは、この初期設定を実行した後に通常動作に移行して、計測データＤ１を入力したときには、計測データＤ１をタイムスタンプＤｔ１と共にバスＩ／Ｆ部１２ｄを介してバスライン１１ａに出力する。
【００２５】
リンクモジュール１３は、図３に示すように、外部計測機器用インターフェース部（以下、「機器Ｉ／Ｆ部」ともいう）１３ａ、制御部１３ｂ、記憶部１３ｃ、およびバスインターフェース部（以下、「バスＩ／Ｆ部」ともいう）１３ｄを備えて構成されている。この場合、制御部１３ｂは、ＣＰＵおよびタイマ（リアルタイムクロック）等で構成されて、記憶部１３ｃに記憶されている動作プログラムに従って作動する。また、制御部１３ｂは、機器Ｉ／Ｆ部１３ａを介して外部計測機器６と相互通信可能に構成されている。この場合、機器Ｉ／Ｆ部１３ａと外部計測機器６とは、例えば、ＲＳ−２３２ＣやＧＰ−ＩＢなどのインターフェースで接続されている。また、制御部１３ｂは、バスＩ／Ｆ部１３ｄを介して外部計測機器６用のコマンドＤｃ２および判別データＤ２を受信したときには、初期設定動作を実行する。具体的には、制御部１３ｂは、機器Ｉ／Ｆ部１３ａを介して外部計測機器６にコマンドＤｃ２を出力することにより、外部計測機器６に対して、入力系統の選択、入力レンジの切替、および計測対象機器５についてのパラメータの計測周期などを初期設定する。また、制御部１２ｂは、リンクモジュール１３自体の初期設定として判別データＤ２を記憶部１３ｃに記憶させる。制御部１３ｂは、これらの初期設定を完了した後に通常動作に移行して、機器Ｉ／Ｆ部１３ａを介して外部計測機器６から計測データＤ３を入力したときには、計測データＤ３をタイムスタンプＤｔ２と共にバスＩ／Ｆ部１３ｄを介してバスライン１１ａに出力する。さらに、制御部１３ｂは、入力した計測データＤ３を判別データＤ２と比較して、計測データＤ３と判別データＤ２とが所定の関係を有するときに外部計測機器６に対する制御信号としてのコマンドＤｃ２（例えば、入力レンジの切替用のコマンド）を独自に生成して出力する。
【００２６】
出力モジュール１４は、図４に示すように、駆動部１４ａ、制御部１４ｂ、記憶部１４ｃ、バスインターフェース部（以下、「バスＩ／Ｆ部」ともいう）１４ｄ、出力端子１４ｅ，１４ｆ，１４ｇ，１４ｈ、および設定スイッチ（図示せず）を備えて構成されている。この場合、駆動部１４ａは、一例として、出力段がオープンコレクタ型のトランジスタでそれぞれ構成された複数（出力端子１４ｅ〜１４ｈと同数。本例では４つ）の出力回路（図示せず）を備えている。また、各出力回路は、対応する出力端子１４ｅ〜１４ｈにそれぞれ接続されると共に駆動信号Ｓｄ１〜Ｓｄ４（以下、特に区別しないときには「駆動信号Ｓｄ」ともいう）をそれぞれ入力して、各出力端子１４ｅ〜１４ｈに制御信号Ｓｃ１〜Ｓｃ４（以下、特に区別しないときには「制御信号Ｓｃ」ともいう）をそれぞれ出力する。制御部１４ｂは、ＣＰＵ等で構成されて、記憶部１４ｃに記憶されている動作プログラムに従って作動する。具体的には、制御部１４ｂは、バスＩ／Ｆ部１４ｄを介してマスクデータＤ５および判別データＤ６，Ｄ７を受信したときに、初期設定として、各データＤ５，Ｄ６，Ｄ７を記憶部１４ｃにそれぞれ記憶させる。また、制御部１４ｂは、この初期設定の後に通常動作に移行して、バスＩ／Ｆ部１４ｄを介してバスライン１１ａから計測データＤ１，Ｄ３を定期的に取り込んで記憶部１４ｃに記憶させると共に、設定スイッチの操作状態に基づいて計測データＤ１，Ｄ３のいずれか一方を選択して、この一方に対応する判別データＤ６（またはＤ７）と比較する。制御部１４ｂは、この比較結果に基づき、計測データＤ１については、計測データＤ１と判別データＤ６との関係を示す判別結果データＤ８を生成し、計測データＤ３については、計測データＤ３と判別データＤ７との関係を示す判別結果データＤ９を生成して、各判別結果データＤ８，Ｄ９を記憶部１４ｃに記憶させる。また、制御部１４ｂは、判別結果データＤ８の内容に基づいて、または判別結果データＤ９の内容に基づいて、駆動部１４ａの各出力回路に対して駆動信号Ｓｄを出力する。また、制御部１４ｂは、この駆動信号Ｓｄの出力に際して、マスクデータＤ５の内容に基づいて駆動信号Ｓｄをマスク（駆動信号Ｓｄの出力を強制的に停止）することにより、制御信号Ｓｃをマスクする。つまり、制御信号Ｓｃ出力を強制的に停止する。
【００２７】
通信モジュール１５は、図５に示すように、通信部１５ａ、制御部１５ｂ、記憶部１５ｃ、およびバスインターフェース部（以下、「バスＩ／Ｆ部」ともいう）１５ｄを備えて構成されている。この場合、通信部１５ａは、伝送路３を介して管理装置２に接続されて、一例として電子メールによって管理装置２との間で相互通信可能に構成されている。制御部１５ｂは、ＣＰＵ等で構成されて、記憶部１５ｃに記憶されている動作プログラムに従って作動する。具体的には、制御部１５ｂは、設定コマンドＤｃ１、コマンドＤｃ２、マスクデータＤ５および判別データＤ２，Ｄ６，Ｄ７を伝送路３および通信部１５ａを介して管理装置２から受信したときは、これらをバスＩ／Ｆ部１５ｄを介してバスライン１１ａに出力する。また、制御部１５ｂは、判別データＤ６，Ｄ７については、初期設定として記憶部１５ｃにそれぞれ記憶させる。また、制御部１５ｂは、この初期設定の後に通常動作に移行して、バスＩ／Ｆ部１５ｄを介してバスライン１１ａから計測データＤ１，Ｄ３およびこれらについてのタイムスタンプＤｔ１，Ｄｔ２を取り込んで記憶部１５ｃにそれぞれ記憶させる。また、制御部１５ｂは、各計測データＤ１，Ｄ３を入力する都度、これら計測データＤ１，Ｄ３と、対応する判別データＤ６，Ｄ７とをそれぞれ比較する。制御部１５ｂは、その比較結果に基づき、計測データＤ１と判別データＤ６との関係を示す判別結果データＤ８を生成すると共に、計測データＤ３と判別データＤ７との関係を示す判別結果データＤ９を生成する。また、制御部１５ｂは、生成した判別結果データＤ８，Ｄ９を計測データＤ１，Ｄ３およびこれらについてのタイムスタンプＤｔ１，Ｄｔ２と共に通信部１５ａを介して管理装置２に送信する。
【００２８】
電源モジュール１６は、商用交流を入力して各種直流電圧を生成すると共に、計測装置１内の各モジュール１２〜１５に供給する。
【００２９】
管理装置２は、例えば、パーソナルコンピュータで構成されて、１または２以上（本例では１つ）の計測装置１から伝送路３を介して送られた各計測データＤ１，Ｄ３、判別結果データＤ８，Ｄ９、およびタイムスタンプＤｔ１，Ｄｔ２を収集して記憶装置（図示せず）に記憶する。
【００３０】
続いて、計測装置１の動作について、図面を参照して説明する。
【００３１】
各計測対象機器４，５の計測を行うに際して、図１に示すように、計測モジュール１２に計測対象機器４を接続し、リンクモジュール１３に外部計測機器６を接続する。また、外部計測機器６に計測対象機器５を接続する。また、出力モジュール１４の各出力端子１４ｅ〜１４ｈには、図１，４に示すように、一例としてブザー１７ａ〜１７ｄをそれぞれ接続する。その後、計測装置１および外部計測機器６の電源を投入する。この際に、計測装置１では、電源モジュール１６が作動して、各モジュール１２〜１５に対する直流電圧の供給を開始する。
【００３２】
次いで、通信モジュール１５が、設定コマンドＤｃ１、コマンドＤｃ２、マスクデータＤ５および判別データＤ２，Ｄ６，Ｄ７を伝送路３を介して管理装置２から受信してバスライン１１ａに出力することにより、これらを各モジュールに供給する。計測装置１の各モジュールおよび外部計測機器６は、設定コマンドＤｃ１、コマンドＤｃ２、マスクデータＤ５および判別データＤ２，Ｄ６，Ｄ７を入力して初期設定を実行する。この場合、計測装置１では、計測モジュール１２が、設定コマンドＤｃ１を入力すると共に、設定コマンドＤｃ１を計測部１２ａに出力することにより、計測部１２ａに対して計測周期などの設定を実行する。また、リンクモジュール１３は、コマンドＤｃ２および判別データＤ２を入力する。また、リンクモジュール１３は、入力したコマンドＤｃ２を外部計測機器６に出力することにより、外部計測機器６に対して計測のための各種設定を実行すると共に、入力した判別データＤ２を記憶部１３ｃに記憶させる。出力モジュール１４は、マスクデータＤ５および判別データＤ６，Ｄ７を入力して記憶部１４ｃに記憶させる。通信モジュール１５は、出力モジュール１４と同様にして、判別データＤ６，Ｄ７を記憶部１５ｃに記憶させる。各モジュール１２〜１５は、この初期設定の完了後に、各記憶部１２ｃ〜１５ｃに記憶されている動作プログラムに基づいて通常動作に移行する。また、外部計測機器６は、初期設定の完了の後、計測対象機器５についてのパラメータを定期的に計測して計測データＤ３を取得すると共にリンクモジュール１３に出力する計測動作を開始する。
【００３３】
計測モジュール１２は、計測対象機器４についてのパラメータを定期的に計測して計測データＤ１を取得すると共に、計測データＤ１をタイムスタンプＤｔ１と共にバスライン１１ａに出力する。一例として、計測モジュール１２は、計測対象機器４についてのパラメータとして計測対象機器４の内部温度Ｔを計測して計測データＤ１を出力する。
【００３４】
リンクモジュール１３は、外部計測機器６から計測対象機器５についての計測データＤ３を入力したときには、計測データＤ３をタイムスタンプＤｔ２と共にバスＩ／Ｆ部１３ｄを介してバスライン１１ａに出力する。さらに、リンクモジュール１３は、入力した計測データＤ３を判別データＤ２と比較し、計測データＤ３と判別データＤ２とが所定の条件を満たしたときに外部計測機器６に対するコマンドＤｃ２を独自に生成して外部計測機器６に出力する。例えば、外部計測機器６が初期設定によって設定された所定の入力レンジで計測対象機器５の出力電圧を計測している状態において、例えば、この所定の入力レンジの最大値である１０ボルトが判別データＤ２として記憶されている場合には、リンクモジュール１３は、計測された計測対象機器５の出力電圧が判別データＤ２を超えているときには、入力レンジを１００ボルトレンジに切り替えるコマンドＤｃ２を独自に生成して出力する。これにより、計測対象機器５の出力電圧が外部計測機器６の初期設定時の入力レンジを超えたときであっても、リンクモジュール１３によって外部計測機器６の入力レンジが直接的かつ迅速に切り替えられる結果、入力レンジの切換えによって生じる計測データＤ３の欠落を最小限に抑制しつつ、計測対象機器５の出力電圧を計測し続けることができる。
【００３５】
出力モジュール１４は、バスＩ／Ｆ部１４ｄを介してバスライン１１ａから計測データＤ１，Ｄ３を定期的に取り込んで記憶する。また、出力モジュール１４は、設定スイッチの操作状態に基づいて計測データＤ１，Ｄ３のいずれか一方を選択して、この一方に対応する判別データＤ６（またはＤ７）と比較することにより、選択された計測データＤ１（またはＤ３）に対する判別を実行すると共に、判別結果データＤ８（またはＤ９）を記憶する。さらに、出力モジュール１４は、マスクデータＤ５の内容に基づいて出力可能な制御信号Ｓ１〜Ｓ４のうちの１つ以上を選択すると共に、選択した制御信号Ｓ１〜Ｓ４の内から判別結果データＤ８（またはＤ９）の内容に基づいて、最終的に出力する制御信号Ｓ１〜Ｓ４を決定して、出力端子１４ｅ〜１４ｈのうちの対応する出力端子に出力する。これにより、出力モジュール１４は、ブザー１７ａ〜１７ｄのうち、この出力端子に接続されたブザーを鳴動させる。
【００３６】
具体的に、以下の条件下での出力モジュール１４の動作について具体的に説明する。この条件として、例えば、設定スイッチによって選択された計測データＤ１が、一例として計測対象機器４の内部温度Ｔを示すデータであり、かつ判別データＤ６が、４つの温度範囲（下限値０℃上限値１０℃、下限値０℃上限値２０℃、下限値０℃上限値３０℃、および下限値０℃上限値４０℃の各温度範囲）を示すデータであり、計測データＤ１が下限値０℃上限値１０℃の温度範囲外であるときには、出力モジュール１４は制御信号Ｓｃ１を出力端子１４ｅに出力し、計測データＤ１が下限値０℃上限値２０℃の温度範囲外であるときには出力モジュール１４は制御信号Ｓｃ２を出力端子１４ｆに出力し、計測データＤ１が下限値０℃上限値３０℃の温度範囲外であるときには出力モジュール１４は制御信号Ｓｃ３を出力端子１４ｇに出力し、計測データＤ１が下限値０℃上限値４０℃の温度範囲外であるときには出力モジュール１４は制御信号Ｓｃ４を出力端子１４ｈに出力し、かつマスクデータＤ５が、制御信号Ｓｃ１，Ｓｃ２，Ｓｃ４をマスクする内容に設定されているものとする。
【００３７】
この条件の下において出力モジュール１４は、計測データＤ１で示される計測対象機器４の内部温度Ｔが例えば２５℃のときには、下限値０℃上限値１０℃の温度範囲および下限値０℃上限値２０℃の温度範囲については、計測データＤ１と判別データＤ６とが所定の関係を有していると判別するものの、この２つの温度範囲に対応する制御信号Ｓｃ１，Ｓｃ２はいずれもマスクデータＤ５によってマスクされているため、制御信号Ｓｃ１，Ｓｃ２を含むすべての制御信号Ｓｃを出力しない。したがって、いずれのブザーも鳴動しない。また、出力モジュール１４は、計測対象機器４の内部温度Ｔが例えば４５℃のときには、すべての温度範囲について、計測データＤ１と判別データＤ６とが所定の関係を有していると判別するものの、制御信号Ｓｃ１，Ｓｃ２，Ｓｃ４はいずれもマスクデータＤ５によってマスクされているため、制御信号Ｓｃ３のみを出力する。これにより、計測対象機器４の内部温度ＴがマスクデータＤ５によってマスクされていない制御信号Ｓｃに対応する温度範囲（下限値０℃上限値３０℃）外になっているときにのみ、ブザー１７ｃだけが鳴動する。つまり、マスクデータＤ５によってマスクしない制御信号Ｓｃを１つ特定することにより、計測対象機器４の内部温度Ｔがこの特定された制御信号Ｓｃに対応する温度範囲外になったときに、特定された制御信号Ｓｃのみが出力されて対応するブザーのみが鳴動する。したがって、各ブザー１７ａ〜１７ｄの鳴動音を予め異ならしめておくことにより、ブザーの鳴動音の種類に基づいて、計測データＤ１と判別データＤ６との間の関係を計測現場において、計測結果を迅速かつ正確に認識することができる。
【００３８】
通信モジュール１５は、バスＩ／Ｆ部１５ｄを介してバスライン１１ａから計測データＤ１，Ｄ３およびタイムスタンプＤｔ１，Ｄｔ２を定期的に取り込んで記憶する。また、通信モジュール１５は、記憶した計測データＤ１を判別データＤ６と比較すると共に、記憶した計測データＤ３を判別データＤ７と比較することにより、計測データＤ１，Ｄ３に対する判別を実行する。また、通信モジュール１５は、この判別によって得られた計測データＤ１，Ｄ３に対する判別結果データＤ８，Ｄ９を計測データＤ１，Ｄ３およびタイムスタンプＤｔ１，Ｄｔ２と共に管理装置２に電子メールで送信する。本例では、通信モジュール１５は、出力モジュール１４と同じ判別データＤ６，Ｄ７を用いて計測データＤ１，Ｄ３に対する判別を実行するため、管理装置２には出力モジュール１４の判別結果と同一の判別結果が送信される。また、通信モジュール１５が判別結果データＤ８，Ｄ９等を電子メールで送信することにより、電子メールを受信し得る装置である限り任意の形態の装置であっても外部機器として使用することができるため、計測装置１の汎用性を高めることができる。
【００３９】
このように、この計測装置１によれば、計測装置１内のリンクモジュール１３が、外部計測機器６から計測データＤ３を取得する都度、計測データＤ３と判別データＤ２とが所定の関係を有する状態に至ったか否かを判別すると共に至ったと判別したときに外部計測機器６にコマンドＤｃ２を出力することにより、リンクモジュール１３が外部計測機器６の動作を直接的に制御することができる。このため、例えば、外部計測機器６が計測対象機器５の出力電圧を計測しているときにおいて、この出力電圧が外部計測機器６の入力レンジを超えたときに、リンクモジュール１３が外部計測機器６の入力レンジを直接的かつ迅速に切り替えるため、この計測装置１によれば、外部計測機器６における入力レンジの切換えによって生じる計測データＤ３の欠落を最小限に抑制しつつ、計測対象機器５の出力電圧を正確に計測し続けることができる。
【００４０】
また、計測装置１内の出力モジュール１４が、バスライン１１ａから計測データＤ１，Ｄ３を入力する都度、設定スイッチによって選択された計測データＤ１，Ｄ３のうちの一方について、判別データＤ６（またはＤ７）との関係が所定の関係に至ったか否かを判別して判別結果データＤ８（またはＤ９）を生成すると共に、この判別結果データＤ８（またはＤ９）とマスクデータＤ５の各内容に基づいて出力端子１４ｅ〜１４ｈに制御信号Ｓｃを出力してブザー１７ａ〜１７ｄを鳴動させることにより、ブザーの鳴動音の種類に基づいて、計測モジュール１２によって計測された計測対象機器４および外部計測機器６によって計測された計測対象機器５についての各パラメータについての判別結果（計測結果）を計測現場で迅速かつ正確に認識することができる。さらに、計測装置１内の通信モジュール１５が、バスライン１１ａから計測データＤ１，Ｄ３を入力する都度、各計測データＤ１，Ｄ３について、対応する判別データＤ６，Ｄ７との関係が所定の関係に至ったか否かを判別し、判別結果データＤ８，Ｄ９を計測データＤ１，Ｄ３およびタイムスタンプＤｔ１，Ｄｔ２と共に管理装置２に送信することにより、管理装置２に対して、計測対象機器４，５についての計測データＤ１，Ｄ３に対する判別結果データＤ８，Ｄ９等を迅速に送信することができる。したがって、制御用ＰＣに計測データＤ１，Ｄ３を送信して判別処理を実行する構成と比較して、制御用ＰＣとの間でのデータのやり取りに要する時間を省くことができるため、より短時間で管理装置２に判別結果データＤ８，Ｄ９を送信することができる。
【００４１】
なお、本発明は、上記した構成に限定されない。例えば、上記の計測装置１では、入力したそのままの各計測データＤ１，Ｄ３と予め記憶している判別データＤ６，Ｄ７とを比較して判別結果データＤ８，Ｄ９を生成するように出力モジュール１４および通信モジュール１５が構成されているが、入力した各計測データＤ１，Ｄ３を加工して判別データＤ６，Ｄ７と比較するように出力モジュール１４および通信モジュール１５を構成することもできる。また、入力した各計測データＤ１，Ｄ３のうちの一方を他方に対する判別データとして使用して各計測データＤ１，Ｄ３が所定の関係を有するときに判別結果データＤ８，Ｄ９を生成するように出力モジュール１４および通信モジュール１５を構成することもできる。また、計測装置１では、判別結果データＤ８，Ｄ９とマスクデータＤ５とに基づいて各ブザー１７ａ〜１７ｄのうちの１つを鳴動させるように出力モジュール１４が構成されているが、ブザーに代えてＬＥＤを用いることもできる。また、計測装置１では、選択スイッチによって計測データＤ１，Ｄ３の一方を選択して対応する判別データＤ６（またはＤ７）と比較しているが、駆動部１４ａの出力回路および出力端子の数を増加させることにより、計測データＤ１と判別データＤ６との比較、計測データＤ３と判別データＤ７との比較を同時に実行して制御信号Ｓｃを出力させる構成を採用することもできる。また、計測対象機器４，５の電源供給ラインにそれぞれ遮断器（ブレーカ）を配設すると共に、各遮断器の制御ラインを出力端子１４ｅ〜１４ｈのいずれかに接続して、各計測データＤ１，Ｄ３と各判別データＤ６，Ｄ７とが所定の関係を有するときの判別結果データＤ８，Ｄ９とマスクデータＤ５とに基づいて遮断器（ブレーカ）を作動させる構成を採用することもできる。さらに、判別データＤ２，Ｄ６，Ｄ７を管理装置２から受信して各モジュールに供給する例について説明したが、各モジュールに操作部を設けて、その操作部を操作して判別データＤ２，Ｄ６，Ｄ７を設定する構成を採用することもできるし、管理装置２以外の外部装置から判別データＤ２，Ｄ６，Ｄ７を入力する構成を採用することもできる。また、判別データＤ２，Ｄ６，Ｄ７の内容に関しても、上記の例に限らず、任意の種類で任意の数値等を用いることができる。
【図面の簡単な説明】
【００４２】
【図１】計測システムＭＳの構成を示すブロック図である。
【図２】計測モジュール１２の構成を示すブロック図である。
【図３】リンクモジュール１３の構成を示すブロック図である。
【図４】出力モジュール１４の構成を示すブロック図である。
【図５】通信モジュール１５の構成を示すブロック図である。
【符号の説明】
【００４３】
１  計測装置
２  管理装置（外部機器）
３  伝送路
４，５  計測対象機器（計測対象体）
１１ａ  バスライン
１２  計測モジュール
１３  リンクモジュール
１４  出力モジュール
１４ｅ〜１４ｈ  出力端子
１５  通信モジュール
Ｄ１，Ｄ３  計測データ
Ｄ２，Ｄ６，Ｄ７  判別データ
Ｄ５  マスクデータ
Ｄ８，Ｄ９  判別結果データ
ＭＳ  計測システム
Ｓｃ１〜Ｓｃ４  制御信号
【図１】
2005316544.tif 000003
【図２】
2005316544.tif 000004
【図３】
2005316544.tif 000005
【図４】
2005316544.tif 000006
【図５】
2005316544.tif 000007